(57)【特許請求の範囲】
【請求項１】
基地局からの信号を受信して光信号に変換してマスタポートから下位の子機に送信する中継機と、受信した上位装置からの光信号を下位装置に送信する複数の子機とを備えた光伝送システムであって、
前記中継機が、マスタポートに対応して、上位ビットに前記マスタポートのポート番号が設定され下位ビットに前記マスタポートに直接接続された子機の順番を示す番号が設定されたアドレス付与データを記憶しておき、システム起動時に、マスタポートに対応するアドレス付与データを読み出して、フレーム上の特定領域に当該アドレス付与データを書き込んで前記マスタポートから送信し、
前記子機が、同期確立を確認後に、上位装置から受信したフレーム上の特定領域からアドレス付与データを読み取ると、前記アドレス付与データを自己のアドレスとして記憶すると共に、前記アドレス付与データの下位ビットに１を加算して前記特定領域に書き込んで下位装置に送信することを特徴とする光伝送システム。
【請求項２】
請求項１記載の光伝送システムであって、
上位装置に接続されるスレーブポートと下位装置に接続されるマスタポートと信号処理部と記憶部と制御部が設けられた上位装置からの信号を分岐して下位装置に送信するＨＵＢを装置間に備え、
前記ＨＵＢは、上位装置からのアドレス付与データを受信すると、マスタポートごとに任意のアドレス数を加算することを特徴とする光伝送システム。
【発明の詳細な説明】
【技術分野】
【０００１】
本発明は、デジタル無線通信を行う光伝送システムに係り、特にシステムを構成する子機のアドレスを容易且つ正確に設定することができ、システムのメンテナンスを容易にすることができる光伝送システムに関する。
【背景技術】
【０００２】
［光伝送システムの概要］
デジタル移動体通信を行う光伝送システムは、移動体通信のサービスエリアの拡大を図る無線通信システムであり、基地局が出力する信号を中継機を介して遠方の不感地帯へ伝送して子機（送受信増幅器）によって無線送信すると共に、子機で受信した無線信号を中継機を介して基地局に送信するものである。
【０００３】
光伝送システムでは、不感地帯に設けられた基地局に、同軸ケーブル又は光ファイバによって中継器が接続され、更に中継機に複数の子機がスター型又はチェーン型で接続されている。子機と子機との間は光ファイバによって接続される。
このように、光伝送システムは、ビル内等の無線信号が到達しない不感地帯でも移動体通信を可能とし、移動体無線システムのサービスエリアの拡大を図ることができるものである。
【０００４】
尚、スター型は、子機である送受信増幅器が、それぞれ基地局（又は中継機）の光インタフェースに接続する構成であり、チェーン型は、基地局（又は中継機）に、光ファイバを介して送受信増幅器が接続され、更に、その送受信増幅器に光ファイバを介して別の送受信増幅器が接続される構成である。
【０００５】
［光伝送システムの制御］
不感地帯に設置される子機の制御及びメンテナンスは、中継機より遠隔操作で行われる。制御用の通信方式としては、ＨＤＬＣ（High-level Data Link Control）やイーサネット（登録商標）を用いるのが一般的である。
【０００６】
遠隔制御を行うためには、各子機に個別の識別子としてのアドレスを付与する必要があり、システム新設時には予め子機にアドレスが設定されているが、子機の増設や設置構成の見直しを行う場合には、作業員が現地で手動にて設定するようになっていた。
【０００７】
［関連技術］
尚、光伝送システムに関する先行技術としては、平成２１年４月９日公開の特開２００９−７７２５２号「光伝送システム」（出願人：株式会社日立国際電気、発明者：川井久嗣、特許文献１）がある。
特許文献１には、中継機及び子機に装置内の固定遅延時間をパラメータとして記憶すると共に、システム起動時にマスタポートに接続する光回線の遅延量を測定して、各子機がパラメータと遅延量を中継機に送信し、中継機が自己及び子機のパラメータ及び遅延量をメンテナンスツールに送信し、メンテナンスツールが各子機までの遅延時間を算出して表示するものであり、伝送遅延量をシステムの運用前に把握でき、信頼性を向上させる光伝送システムが記載されている。
【先行技術文献】
【特許文献】
【０００８】
【特許文献１】特開２００９−７７２５２号公報
【発明の概要】
【発明が解決しようとする課題】
【０００９】
しかしながら、従来の光伝送システムでは、子機の増設時やシステム再構築時には、作業員が手動で子機のアドレスを設定しなければならず、作業が煩雑であり、また、設定ミスによりシステムに不具合が発生する恐れがあるという問題点があった。
【００１０】
本発明は上記実状に鑑みてなされたもので、子機の増設時やシステム再構築時に、全ての子機に容易且つ正確にアドレスを付与することができ、システムのメンテナンスを容易にし、信頼性を向上させることができる光伝送システムを提供することを目的とする。
【課題を解決するための手段】
【００１１】
上記従来例の問題点を解決するための本発明は、基地局からの信号を受信して光信号に変換してマスタポートから下位の子機に送信する中継機と、受信した上位装置からの光信号を下位装置に送信する複数の子機とを備えた光伝送システムであって、中継機が、マスタポートに対応して、上位ビットにマスタポートのポート番号が設定され下位ビットに当該マスタポートに直接接続された子機の順番を示す番号が設定されたアドレス付与データを記憶しておき、システム起動時に、マスタポートに対応するアドレス付与データを読み出して、フレーム上の特定領域に当該アドレス付与データを書き込んで当該マスタポートから送信し、子機が、同期確立を確認後に、上位装置から受信したフレーム上の特定領域からアドレス付与データを読み取ると、当該アドレス付与データを自己のアドレスとして記憶すると共に、当該アドレス付与データの下位ビットに１を加算して特定領域に書き込んで下位装置に送信することを特徴としている。
【発明の効果】
【００１２】
本発明によれば、基地局からの信号を受信して光信号に変換してマスタポートから下位の子機に送信する中継機と、受信した上位装置からの光信号を下位装置に送信する複数の子機とを備えた光伝送システムであって、中継機が、マスタポートに対応して、上位ビットにマスタポートのポート番号が設定され下位ビットに当該マスタポートに直接接続された子機の順番を示す番号が設定されたアドレス付与データを記憶しておき、システム起動時に、マスタポートに対応するアドレス付与データを読み出して、フレーム上の特定領域に当該アドレス付与データを書き込んで当該マスタポートから送信し、子機が、同期確立を確認後に、上位装置から受信したフレーム上の特定領域からアドレス付与データを読み取ると、当該アドレス付与データを自己のアドレスとして記憶すると共に、当該アドレス付与データの下位ビットに１を加算して特定領域に書き込んで下位装置に送信する光伝送システムとしているので、システムの再構築時や子機増設時等に、中継機をリセットして同期確立を行わせれば、中継機がアドレス付与データの送信を開始して、下位に接続された複数の子機に重複することなくアドレスを付与することができるため、手動で設定するのに比べて容易且つ正確に子機にアドレスを設定でき、システムのメンテナンスを容易にすると共に信頼性を向上させることができる効果がある。
【図面の簡単な説明】
【００１３】
【図１】光伝送システムの構成例を示す模式説明図である。
【図２】中継機２の構成ブロック図である。
【図３】アドレス付与データテーブルの模式説明図である。
【図４】子機の構成ブロック図である。
【図５】デジタル伝送におけるフォーマット例を示す模式説明図である。
【図６】本システムにおけるアドレス付与の動作を示す模式説明図である。
【図７】ＨＵＢを備えたシステムにおけるアドレス付与の動作を示す模式説明図である。
【発明を実施するための形態】
【００１４】
［実施の形態の概要］
本発明の実施の形態について図面を参照しながら説明する。
本発明の実施の形態に係る光伝送システムは、システム起動時に、中継機が、制御情報の特定の位置に、上位ビットに中継機のポート番号を設定し、下位ビットに当該ポートに直接接続されている子機の順番を示す番号を設定したデータを各ポートから送信し、子機が、同期確立を確認後、受信した制御情報の特定の位置に書き込まれたデータをそのまま自己のアドレスとして記憶すると共に、当該位置の下位ビットに１を加算して下位装置に送信するようにしており、作業員が設定操作を行わずに子機のアドレスを設定することができ、メンテナンスを容易にし、信頼性を向上させることができるものである。
【００１５】
［光伝送システムの構成：図１］
本発明の実施の形態に係る光伝送システムについて図１を用いて説明する。図１は、光伝送システムの構成例を示す模式説明図である。
図１に示すように、本実施の形態に係る光伝送システムは、チェーン型とスター型を複合した構成を備え、基地局（ＢＴＳ）１と、中継機２と、子機４（ここでは４ａ〜４ｅ）とを備え、中継機２と子機４、子機４同士は光ファイバ３によって接続されている。尚、中継機２及び子機４にＨＵＢを接続して分岐させた構成も可能である。
【００１６】
基地局１は、移動体無線システムの基地局であり、高周波信号の送受信を行う。ここでは同軸ケーブルで中継機２に接続されている。また、基地局１に光インタフェースが設けられている場合には、基地局１と中継機２とを光ファイバによって接続してもよい。
【００１７】
中継機２は、基地局１から遠く離れた場所に設置され、基地局１から受信した信号を光信号に変換し、光ファイバ３を介して子機４に分配出力する。また、中継機２は、子機４から光ファイバ３を介して受信した光信号を電気信号に変換し、多重化して基地局１に送信する。
【００１８】
図１の例では、中継機２は、光ファイバ３が接続する複数のポート（マスタポート）２５ａ〜２５ｃを備えており、複数の子機４（又はＨＵＢ）が接続可能となっている。ここでは、子機４ａ及び４ｂが中継機２のマスタポートに接続されている。
マスタポートは、つながり先を出力クロックで動作させるための入出力ポートである。
【００１９】
子機４は、中継機２から受信した光信号を電気信号（高周波信号、無線信号）に変換して、高周波信号を増幅し、アンテナを介して無線信号として出力すると共に、移動端末から送信された無線信号を受信して増幅し、光信号に変換して中継機２に向けて出力する送受信増幅器である。
また、子機４にはスレーブポートとマスタポートが設けられており、上位装置にはスレーブポートで接続し、下位装置の子機４（又はＨＵＢ）にはマスタポートで接続している。
【００２０】
［光伝送システムの動作：図１］
光伝送システムの基本的な動作について図１を用いて説明する。
基地局１から送信された無線信号は、中継機２のマスタポートで光信号に変換されて、下位の子機４ａ、４ｂに送出される。子機４のスレーブポートで受信された光信号は、マスタポートから下位の子機４に送出されると共に、スレーブポートで電気信号に変換されてアンテナから無線出力される。
【００２１】
また、子機４のアンテナで受信された移動端末からの無線信号は、スレーブポートでデジタル信号処理により伝送フレーム（図５を用いて後述する）が構成され、マスタポートで受信された下位の子機４からの信号とデジタル信号処理により合成され、光信号に変換されて上位の子機４又は中継機２に送出される。このようにして光伝送システムの動作が行われる。
【００２２】
［中継機２の構成：図２］
本システムの中継機２の構成について図２を用いて説明する。図２は、中継機２の構成ブロック図である。
図２に示すように、中継機２は、無線部２１と、信号処理部２２と、制御部２３と、記憶部２４と、複数のマスタポート２５-1〜２５-nとを備えている。
【００２３】
各構成部分について説明する。
無線部２１は、信号処理部２２からのベースバンド信号を無線周波数に変換して基地局に出力すると共に、基地局からの無線周波数信号を受信してベースバンド信号に変換し、信号処理部２２に出力する。
【００２４】
信号処理部２２は、各マスタポート２５から入力された下位装置からのベースバンド信号のデジタル信号処理を行って無線部２１に出力すると共に、無線部２１から入力された基地局からの無線信号のデジタル信号処理を行ってベースバンド信号として各マスタポート２５の電気光変換部に送出する。
【００２５】
制御部２３は、ＣＰＵ（Central Processing Unit）やＭＰＵ（Micro Processor Unit）等で構成され、記憶部２４に記憶されている処理プログラムを起動して処理を行う。特に、本システムの特徴として、システム起動時に、下位に子機４が接続されたマスタポート２５に対して、当該ポートに接続された子機４にアドレスを付与するためのデータ（アドレス付与データ）を送信する処理を行う。アドレス付与データの送信処理については後で詳細に説明する。
【００２６】
記憶部２４は、制御部２３における処理プログラムを記憶すると共に、本システムの特徴として、マスタポート２５のそれぞれから下位の子機に送出するアドレス付与データを記憶するアドレス付与データテーブルを備えている。
【００２７】
マスタポート２５は、光信号の送受信を行う光信号送受信部と、光信号と電気信号の相互変換を行う光−電気変換部とを備えており、下位装置からの光信号を受信して無線信号に変換し、信号処理部２２に出力する。また、信号処理部２２から入力された、下位装置に送るための電気信号を光信号に変換して下位の光ファイバに出力する。
マスタポート２５は接続された下位装置を自己のクロックに合わせて動作させる。
【００２８】
［アドレス付与データテーブル：図３］
ここで、アドレス付与データテーブルについて図３を用いて説明する。図３は、アドレス付与データテーブルの模式説明図である。
図３に示すように、記憶部２４に記憶されているアドレス付与テーブルは、マスタポート２５-1〜２５-nのポート番号（１〜ｎ）と、各ポートから出力されるアドレス付与データとを対応付けて記憶している。
本システムでは、アドレス付与データは、上位４ビットでポート番号を表し、下位４ビットで当該マスタポートに直接接続された子機の中継機からの順番を示す番号（ここでは「１」）を表すようになっている。
具体的には、「ポート番号１」に対するアドレス付与データは「x11」であり、「ポート番号２」に対するアドレス付与データは「x21」であり、「ポート番号ｎ」に対するアドレス付与データは「xn1」である。データの先頭の「x」は１６進数を表している。
【００２９】
［子機４の構成：図４］
次に、本システムの子機４の構成について図４を用いて説明する。図４は、子機の構成ブロック図である。
図４に示すように、子機４は、スレーブポート４１と、信号処理部４２と、無線部４３と、制御部４４と、不揮発性メモリ４５と、マスタポート４６とを備えている。
【００３０】
スレーブポート４１は、光信号の送受信を行う光信号送受信部と、光信号と電気信号の相互変換を行う光−電気変換部と、デジタル伝送フレームの抽出及び合成機能とを備えており、上位装置からの光信号を受信して無線信号に変換し、信号処理部４２と、制御部４４と、マスタポート４６に出力する。また、マスタポート４６から入力された上位装置に送るための電気信号を光信号に変換して上位の光ファイバ３に出力する。
スレーブポート４１は、接続された上位装置のクロックに合わせて動作を行う。
また、スレーブポート４１は、上位装置との接続確立を確認しており、光接続異常と判断した場合には、その旨制御部４４に報知する。
【００３１】
信号処理部４２は、スレーブポート４１から入力されたベースバンド信号のデジタル信号処理を行って無線部４３に出力すると共に、無線部４３から入力された移動局からの無線信号のデジタル信号処理を行ってスレーブポート４１へ送出する。
【００３２】
無線部４３は、ベースバンド信号を無線周波数に変換してアンテナから空中に放出すると共に、アンテナから無線周波数信号を受信してベースバンド信号に変換し、信号処理部４２に出力する。
【００３３】
制御部４４は、ＭＰＵ又はＤＳＰ等で構成され、不揮発性メモリ４５に記憶されたプログラムを起動して処理を行う。特に、本システムの子機４では、上位装置からアドレス付与データを受信した場合には、受信データを自己のアドレスとして内部に保持すると共に、下位ビットに１を加算したデータを下位装置へのアドレス付与データとしてマスタポート４６へ送出する。
【００３４】
また、制御部４４は、スレーブポート４１から光接続異常を報知された場合には、マスタポート４６からの光信号の出力を停止して下位装置に異常データが伝搬されるのを防止する。
更に、本システムの制御部４４は、光接続異常の場合には、アドレス付与データを強制的に「x00」として、自己のアドレスを「x00」として設定する。
【００３５】
不揮発性メモリ４５は、制御部４４における処理プログラムを記憶する。尚、制御部４４からの設定に基づいて当該子機のアドレスを記憶するようにしてもよい。
本システムでは、システム起動時に、手動ではなくアドレス付与データを受信することによって制御部４４がその都度アドレスをダイナミックに設定するようにしている。
【００３６】
［デジタル伝送におけるフォーマット例：図５］
次に、デジタル伝送におけるフォーマット例について図５を用いて説明する。図５は、デジタル伝送におけるフォーマット例を示す模式説明図である。
図５では、光伝送システムにおけるデジタル伝送Ｉ／ＦであるＣＰＲＩ（Common Public Ratio Interface）のフォーマットを示している。ＣＰＲＩのフォーマットでは、制御情報を書き込む領域であるＣ−Ｐｌａｎｅと、無線データを書き込む領域であるＵ−ＰＬＡＮＥとが設けられている。
【００３７】
そして、制御及びメンテナンスでは、Ｃ−ＰＬＡＮＥ上に割り当てられた、Ｓｌｏｗ  Ｃ＆Ｍ領域を用いてＨＤＬＣ通信で通信を行う場合と、Ｆａｓｔ  Ｃ＆Ｍ領域を用いてイーサネット（登録商標）通信を行う場合がある。
ここではＨＤＬＣ通信を行う場合を例として説明するが、ＨＤＬＣ通信に限定するものではない。
【００３８】
図５に示すように、各フレーム（Basic Frame）の先頭１６ビットがＣ−ＰＬＡＮＥとなっており、他の領域がＵ−ＰＬＡＮＥである。
ＣＰＲＩのＣ−ＰＬＡＮＥ上には、Ｖｅｎｄｏｒ  Ｓｐｅｃｉｆｉｃ領域として、Ｖｅｎｄｏｒが自由に使用可能な区間が設けられている。本システムでは、この中から、任意に選択されたＶｅｎｄｏｒ  Ｓｐｅｃｉｆｉｃ領域を用いてアドレス付与データを送信するようにしている。どのＶｅｎｄｏｒ  Ｓｐｅｃｉｆｉｃ領域を使用するかは、予め中継機２と各子機４との間で取り決められているものである。
これにより、通信プロトコルの低いほうのレイヤで子機４に装置アドレスを設定させることができるものである。
【００３９】
［アドレス付与の動作：図６］
次に、本システムにおけるアドレス付与の動作について図６及び図２、図４を用いて説明する。図６は、本システムにおけるアドレス付与の動作を示す模式説明図である。
図６では、中継機２に３つのマスタポート２５-1、２５-2、２５-3が設けられており、マスタポート２５-1には子機４ａ、４ｃ、４ｅがチェーン型に接続され、マスタポート２５-3には子機４ｂと４ｄがチェーン型に接続されている。マスタポート２５-2には下位装置は接続されていない。
【００４０】
そして、システム起動時に、中継局２の制御部２３は、各マスタポート２５の接続状態をチェックし、アドレス付与データテーブルを参照して、下位装置が接続されているマスタポート２５に当該ポートに対応したアドレス付与データを出力し、当該マスタポート２５から子機４に送信させる。ここでは、マスタポート２５-1と２５-3にアドレス付与データを出力する。
その際、制御部２３は、Ｃ−ＰＬＡＮＥ上の特定のＶｅｎｄｏｒ  Ｓｐｅｃｉｆｉｃ領域にアドレス付与データを書き込むようになっている。
【００４１】
図６の例では、中継機２の制御部２３は、マスタポート２５-1には「x11」を出力し、マスタポート２５-3には「x31」を出力する。マスタポート２５-2には下位装置が接続されていないためアドレス付与データを出力しない。
【００４２】
アドレス付与データは、８ビットの内上位４ビットでポート番号を表し、下位４ビットでは中継機２の同一ポートに接続されている子機４の中の固有番号を表しており、中継機２から出力されるアドレス付与データは、中継機２に直接接続されている子機４の番号（中継機２からの順番）が設定されている。
【００４３】
中継機２のマスタポートから分岐せずに複数の子機４がチェーン接続されている場合には、下位４ビットは中継機２からの接続順を示すことになる。
つまり、「x11」は、ポート番号１に接続されている１番目の子機を示し、「x31」は、ポート番号３に接続されている１番目の子機を示している。
途中にＨＵＢを備え、分岐する場合のアドレス付与方法については後で説明する。
【００４４】
そして、子機４は、スレーブポート４１において上位装置との光リンク確立（同期確立）を確認し、上位装置から受信したデータのＣ−ＰＬＡＮＥ上の特定領域に書き込まれたアドレス付与データに基づいて自己のアドレスを設定する。
【００４５】
また、上位装置との光リンク確立を確認できない場合には、子機４は、上位装置から受信したデータのＣ−ＰＬＡＮＥ上の特定領域に書き込まれたアドレス付与データを「x00」として自己のアドレスを強制的に「x00」として設定し、更にマスタポート４６への光出力を停止する。
【００４６】
具体的には、子機４の制御部４３は、スレーブポート４１で光リンクの確立を確認して、Ｃ−ＰＬＡＮＥ上の特定領域にアドレス付与データとして「x00」以外のデータが書き込まれていた場合、当該データを読み取って自装置のアドレスとして記憶し、更に下位４ビットに１を加算してＣ−ＰＬＡＮＥ上の特定領域を書き換え、マスタポート４６から下位装置に送信する。
【００４７】
例えば、子機４ａは、中継機２のマスタポート２５-1から送信されたデータ中の特定領域からアドレス付与データ「x11」を読み取ると、当該データ「x11」を自己のアドレスとして記憶し、下位４ビットに＋１した「x12」を当該領域に書き込んで、アドレス付与データとして子機４ｃに送信する。
【００４８】
同様に、子機４ｃは、上位装置（子機４ａ）から送信されたデータ中の特定領域からアドレス付与データ「x12」を読み取ると、当該データ「x12」を自己のアドレスとして記憶し、下位４ビットに＋１した「x13」を当該領域に書き込んで、下位装置（子機４ｅ）に送信する。
【００４９】
また、中継機２のマスタポート２５-3に接続された子機４ｂは、アドレス付与データ「x31」のデータを受信して、自己のアドレスとして「x31」を記憶し、「x32」を下位の子機４dに送信する。
以下同様にして、中継機２に接続された全ての子機４に順次アドレスを設定することができるものである。
【００５０】
これにより、各子機４には、自己がチェーン接続している中継機のマスタポートのポート番号と、当該ポートにチェーン接続している複数の子機４の中での順番を示す番号とが組み合わされたアドレスが記憶されることになり、多くの子機４が接続されている場合であっても、効率的に、且つ重複することなく一義的にアドレスを付与することができるものである。
【００５１】
そして、システム再構築時や子機４の増設時には、中継機２をリセットすることによって再起動させ、中継機２が、各ポートに応じたアドレス付与データを書き込んで送信することにより、上述したように簡単に全ての子機４にアドレスを付与することができるものである。
【００５２】
［ＨＵＢを備えたシステム：図７］
次に、ＨＵＢを備えて分岐させたシステムにおけるアドレス付与について図７を用いて説明する。図７は、ＨＵＢを備えたシステムにおけるアドレス付与の動作を示す模式説明図である。
図７の例では、中継機２のマスタポート２５-1にＨＵＢ５のスレーブポート５１が接続され、ＨＵＢ５のマスタポート５２-1には子機４ａ、４ｂ、４ｃがチェーン接続され、マスタポート５２-2には、子機４ｄ、４ｅがチェーン接続されている。
ここではＨＵＢ５のマスタポート５２は３つ以上であってもよいが、説明を簡単にするために２つとしている。
【００５３】
ＨＵＢ５は、スレーブポート５１、マスタポート５２のほかに、信号処理部、記憶部、制御部が設けられている。
そして、本システムの特徴として、ＨＵＢ５の記憶部には当該ＨＵＢの下位に接続可能な子機４の台数（制限台数）が予め設定されており、ＨＵＢ５の制御部は、２つのマスタポートのうち１つには、上位装置から受信したアドレス付与データをそのまま出力し、別のマスタポートには、受信したアドレス付与データの下位ビットに制限台数を加算したデータをアドレス付与データとして出力する。
【００５４】
図７の例では、ＨＵＢ５の制御部は、中継機２から「x11」のアドレス付与データを受信すると、マスタポート５２-1には「x11」のアドレス付与データをそのまま出力する。
そして、例えば制限台数を４とすると、ＨＵＢ５の制御部は、マスタポート５２-2には「x11」の下位４ビットに制限台数の４を加算した「x15」をアドレス付与データとして出力する。
子機４の動作はＨＵＢ５がない場合と同じである。
【００５５】
これにより、マスタポート５２-1に接続された子機４ａ〜４ｃには、それぞれアドレス「x11」「x12」「x13」が設定され、マスタポート５２-2に接続された子機４ｄ、４ｅにはアドレス「x15」「x16」が設定される。このようにして、ＨＵＢによって分岐された経路を備えたシステムであっても、一義的にアドレスを付与することができるものである。
【００５６】
また、ＨＵＢ５のマスタポート５２の数がより多い場合には、制御部は、例えば、ポート番号の若いほうから順に、下位ビットに制限台数の値（ここでは４）を加算したデータをアドレス付与データとして出力する。つまり、１番目のポートには「x11」を出力し、２番目以降は順次「x15」、「x19」、「x1D」、…のデータをアドレス付与データとして出力する。
その結果、各子機４には、中継機２のマスタポートのポート番号と、当該マスタポートに接続されている子機の中での順番とが組み合わされたアドレスが設定されるものである。この場合、下位ビットは必ずしも通し番号になるとは限らないが、重複することはない。
これにより、ＨＵＢ５のマスタポートの数が多くても子機４に一義的にアドレスを付与することができるものである。
【００５７】
［実施の形態の効果］
本発明の実施の形態に係る光伝送システムによれば、中継機２の記憶部２４に、各マスタポート２５に対応して、上位ビットに当該マスタポート２５の番号が設定され、下位ビットに当該マスタポート２５に直接接続されている子機４の順番を示す番号が設定されたアドレス付与データを記憶しておき、制御部２３が、システム起動時に、マスタポート２５に対して、Ｃ−ＰＬＡＮＥ上の特定領域に当該マスタポート２５に対応するアドレス付与データを書き込んで、当該マスタポート２５から出力させ、子機４が、上位装置との同期確立を確認後、上位装置から受信したデータのＣ−ＰＬＡＮＥ上の特定領域にアドレス付与データが書き込まれていた場合に、当該アドレス付与データを読み取って自己のアドレスとして内部に記憶すると共に、下位ビットに１を加算してＣ−ＰＬＡＮＥ上の特定領域を更新してマスタポート４６から下位の子機４に送信するようにしているので、複数の子機４に重複することなくアドレスを付与することができ、システムの再構築時や、子機増設時等に、中継機２をリセットして再起動することにより、中継機２がアドレス付与データの送信を開始して、現時点の配置に応じて動的に全ての子機４にアドレスを付与することができ、作業員が手動で子機４のアドレスを設定するのに比べて、容易且つ正確に子機４にアドレスを設定でき、利便性及びシステムの信頼性を向上させることができる効果がある。
【００５８】
また、本システムによれば、中継機２が、各ポートに応じたアドレス付与データを送信し、子機４が、同期確立の確認後に、上位装置から受信したデータのＣ−ＰＬＡＮＥ上の特定領域から「x00」以外のアドレス付与データを読み取った場合に、当該データを自己のアドレスとして記憶すると共に下位ビットに１を加算して下位装置に送信し、同期確立が確認できなかった場合には受信データのＣ−ＰＬＡＮＥ上の特定領域にアドレス付与データとして「x00」を書き込み、マスタポートからの光出力を停止するようにしているので、同期確立後に確実に全ての子機４にアドレスを設定することができる効果がある。
【００５９】
また、本システムによれば、途中にＨＵＢ５を備えたシステムの場合、ＨＵＢ５の制御部が、１番目のマスタポートには上位装置から受信したアドレス付与データをそのまま出力し、次のマスタポートには受信アドレス付与データの下位ビットに制限台数の値を加算したアドレス付与データを出力し、以下のマスタポートには順次制限台数分ずつ下位ビットに加算したアドレス付与データを出力するようにしているので、ＨＵＢ５によって分岐されたシステムであっても、重複することなく一義的に子機４にアドレスを付与することができる効果がある。
【産業上の利用可能性】
【００６０】
本発明は、システムを構成する子機のアドレスを容易且つ正確に設定することができ、システムのメンテナンスを容易にすることができる光伝送システムに適している。
【符号の説明】
【００６１】
１…基地局、  ２…中継機、  ３…光ファイバ、  ４…子機、  ５…ＨＵＢ、  ４１，５１…スレーブポート、  ２５，４６，５２…マスタポート、  ２２，４２…信号処理部、  ２１，４３…無線部、  ２３，４４…制御部、  ２４…記憶部、  ４５…不揮発性メモリ
【図１】
0005400544.tif 000002
【図２】
0005400544.tif 000003
【図３】
0005400544.tif 000004
【図４】
0005400544.tif 000005
【図５】
0005400544.tif 000006
【図６】
0005400544.tif 000007
【図７】
0005400544.tif 000008